【手続補正書】
【提出日】平成18年10月12日(2006.10.12)
【手続補正１】
【補正対象書類名】明細書
【補正対象項目名】特許請求の範囲
【補正方法】変更
【補正の内容】
【特許請求の範囲】
【請求項１】  支持体上にポジ型感光性組成物を塗設してなり、レーザーにより露光されるポジ型感光性平版印刷版であって、感光層の少なくとも対向する端部２辺が、未露光の状態でアルカリ現像液に可溶であることを特徴とするポジ型感光性平版印刷版。
【請求項２】  アルミニウム支持体上にポジ型感光性組成物を塗設してなり、レーザーにより露光されるポジ型感光性平版印刷版であって、感光層の少なくともアルミニウム支持体の圧延方向の端部２辺が、未露光の状態でアルカリ現像液に可溶であることを特徴とするポジ型感光性平版印刷版。
【請求項３】  ポジ型感光性組成物が、６００〜１３００ｎｍのレーザー光を吸収し熱を発生する光吸収材料及びアルカリ可溶性樹脂を含有することを特徴とする請求項１または２に記載のポジ型感光性平版印刷版。
【請求項４】  感光層の対向する端部２辺以外の部分が、未露光の状態で、アルカリ現像液に対する溶解速度が表面部から下層部に向って大となるように構成されていることを特徴とする請求項３に記載のポジ型感光性平版印刷版。
【請求項５】  ポジ型感光性組成物中に更に溶解抑止剤を含有することを特徴とする請求項３又は４に記載のポジ型感光性平版印刷版。
【請求項６】  支持体上にポジ型感光性組成物を塗布して感光層を形成した後、該感光層と、水分を１〜１０％含有する保護材とを重ね合わせて加熱下に保持する工程を有するレーザーにより露光されるポジ型感光性平版印刷版の製造方法において、該感光層の面積よりも該保護材の面積が小さいことを特徴とするポジ型感光性平版印刷版の製造方法。
【請求項７】  感光層と、水分を１〜１０％含有する保護材とを重ね合わせ加熱下に保持する工程において、帯状の感光層の幅手方向の端部２辺を該保護材で覆わないことを特徴とする請求項６に記載のポジ型感光性平版印刷版の製造方法。
【請求項８】  支持体上にポジ型感光性組成物を塗布して感光層を形成した後、所定の大きさに裁断し、感光層と、水分を１〜１０％含有する保護材とを重ね合わせて加熱下に保持する工程において、感光層の少なくとも対向する端部２辺を該保護材で覆わないことを特徴とする請求項６に記載のポジ型感光性平版印刷版の製造方法。
【請求項９】  アルミニウム支持体上にポジ型感光性組成物を塗布して感光層を形成した後、所定の大きさに裁断し、感光層と、水分を１〜１０％含有する保護材とを重ね合わせて加熱下に保持する工程を有するレーザーにより露光されるポジ型感光性平版印刷版の製造方法において、少なくともアルミニウム支持体の圧延方向における感光層の端部２辺を該保護材で覆わないこと特徴とするポジ型感光性平版印刷版の製造方法。
【請求項１０】  請求項１乃至５のポジ型感光性平版印刷版の刷版方法であって、回転ドラムの表面上に押さえ治具によって感光性平版印刷版の対向する両端面を固定して行う走査方式によるレーザー露光工程と現像工程を含む刷版方法。
【請求項１１】  請求項６乃至９の製造方法によって製造されたポジ型感光性平版印刷版の刷版方法であって、回転ドラムの表面上に押さえ治具によって感光性平版印刷版の対向する両端面を固定して行う走査方式によるレーザー露光工程と現像工程を含む刷版方法。
【手続補正２】
【補正対象書類名】明細書
【補正対象項目名】０００４
【補正方法】変更
【補正の内容】
【０００４】
このようなベタ印刷の問題を防ぐためには、ポジＣＴＰ版において、押さえ治具によって固定される両端面部に感光層を有していないものを作成する方法が考えられる。これらは例えば、両端部にもともと感光層を塗設しない印刷版を作成するか、または感光層を塗設した後に、両端部の感光層を除去する方法が考えられる。また、本出願人は現像工程に先立って、未露光の両端部が現像液に溶解するように両端部を加圧処理等の物理的処理を加える方法を提案している（特願平１１−１７６２８１）。
しかしながらこのような両端部の処理には通常の印刷版の製造工程に加えて特別な処理工程を付加する必要がり、さらなる生産性の向上が望まれていた。
【手続補正３】
【補正対象書類名】明細書
【補正対象項目名】０００５
【補正方法】変更
【補正の内容】
【０００５】
【発明が解決しようとする課題】
本発明の目的は、感光性平版印刷版の両端面の未露光部により不要な画像が印刷物に形成されないように改良されたポジ型感光性平版印刷版及びその製造方法を提供するものである。
【手続補正４】
【補正対象書類名】明細書
【補正対象項目名】０００６
【補正方法】変更
【補正の内容】
【０００６】
【課題を解決するための手段】
本発明の要旨は、レーザーにより露光されるポジ型感光性平版印刷版であって、感光層の少なくとも対向する端部が、未露光の状態でアルカリ現像液に可溶であることを特徴とするポジ型感光性平版印刷版に存する。
本発明の別の要旨は、支持体上にポジ型感光性組成物を塗布して感光層を形成した後、該感光層と、水分を１〜１０％含有する保護材とを重ね合わせて加熱下に保持する工程を有するレーザーにより露光されるポジ型感光性平版印刷版の製造方法において、該感光層の面積よりも該保護材の面積が小さいことを特徴とするポジ型感光性平版印刷版の製造方法に存する。
また、本発明の別の要旨は、上記ポジ型感光性平版印刷版の刷版方法であって、回転ドラムの表面上に押さえ治具によって感光性平版印刷版の対向する両端面を固定して行う走査方式によるレーザー露光工程と現像工程を含む刷版方法に存する。
【手続補正５】
【補正対象書類名】明細書
【補正対象項目名】００１３
【補正方法】変更
【補正の内容】
【００１３】
光吸収材料は、これらの原理及び照射するレーザー光の波長に応じて選択することができ、公知のものが使用できるが、ＣＴＰ版の露光光源としては、６００〜１３００ｎｍの近赤外線を用いることが多いので、本発明のポジ型感光性平版印刷版は、特に光吸収剤が６００〜１３００ｎｍの近赤外線を吸収して熱を発生する光熱変換物質であることが好ましい。斯かる化合物としては、波長域６００〜１３００ｎｍの近赤外線領域の一部または全部に吸収帯を有する有機または無機の染顔料、有機色素、金属、金属酸化物、金属炭化物、金属ホウ化物などが挙げられる。これらの中では、光吸収色素が特に有効である。光吸収色素は、上記波長域の光を効率よく吸収するが、紫外線領域の光は殆ど吸収しないか、吸収しても実質的に感応せず、従って、白色灯に含まれる様な弱い紫外線によってはポジ型感光性組成物を変成させる作用のない化合物である。
【手続補正６】
【補正対象書類名】明細書
【補正対象項目名】００２０
【補正方法】変更
【補正の内容】
【００２０】
次に、本発明のポジ型感光性平版印刷版の製造方法について、好ましい実施態様を例にとって説明する。
本発明のポジ型感光性平版印刷版の製造方法としては、少なくとも対向する端部２辺が、未露光の状態でアルカリ現像液に可溶となるように製造することができれば何れの方法を用いることができるが、好ましくは、支持体上にポジ型感光性組成物を塗布して感光層を形成した後、該感光層と、水分を１〜１０％含有する保護材とを重ね合わせて加熱下に保持する工程において、感光層の面積よりも保護材の面積が小さいことを特徴とした製造方法が用いられる。
熱の作用によりアルカリ溶解性が変化するようなポジ型感光性組成物においては、露光部と未露光部の溶解性の差を十分に確保することが重要な技術要素となっている。この溶解性の差を発現させる手段の一つとして、本出願人は、レーザーによって露光されるポジ型感光性平版印刷版の製造方法に係わる出願（特願平１１−２１１９５７号）において、好ましい実施態様として、支持体上に感光層が形成された印刷版を、水分を含有する保護材と重ね合わせて加熱下に保持する製造方法を提案した。
【手続補正７】
【補正対象書類名】明細書
【補正対象項目名】００３４
【補正方法】変更
【補正の内容】
【００３４】
実施例２
上記成分よりなる感光液を前述の方法で作製したアルミニウム板上にロールコータ−で幅手１０３０mmに対し全面塗布し、熱風乾燥炉にて３５℃ ３３秒間乾燥させ、２熱風乾燥炉にて６０℃ ４３秒間乾燥させ２０ｍｇ／ｄｍ2 の感光性層を設け、続いて長さ８００mmに断裁し３００枚堆積した。
ついで図２感光層面側にアルミ支持体の圧延方向に対し垂直な辺の両端から１０mm短くなるよう水分４．５％を含有するラミネート保護紙（材質 パルプ材を原料とした紙 紙２７ｇ／ｍ2 ラミネート材料 ＬＤＰＥ 厚さ８μｍ）をラミネート面側を感光層面側へ接触するよう供給し、樹脂パレットの上に３００枚堆積した。
続いて長さ８００mmに断裁し、樹脂性パレットに３００枚堆積した。続いて表面をシュリンクフィルムにて全面覆い、熱風をかけて堆積版に密着させた。続いて室温６０℃にて２４時間保持し、感光性平板印刷版を得た。